(57)【要約】【課題】スポイトやピペット等で突き破って検査用試薬等の内容物を取り出す保護フィルムであって、これらスポイトやピペット等で容易に突き破ることができて、しかも、突き破った際にフィルム片が落下することのない保護フィルムを提供すること。【解決手段】易突刺性のポリエステルフィルム２１、アルミニウム箔又はアルミ合金の箔２２、シーラント層２３をこの順に積層する。その層構成中に易突刺性のポリエステルフィルムを含んでおり、このため、スポイトやピペット等で突き破ったときにもフィルム片が落下しない。しかも、このポリエステルフィルムは易突刺性であるため、これらスポイトやピペット等で容易に突き破って内容物を取り出すことが可能となる。【選択図】図２
2018079600.tif 000002
【特許請求の範囲】
【請求項１】
内容物を収容する凹部を被覆して密封する保護フィルムであって、
易突刺性のポリエステルフィルム、アルミニウム箔又はアルミ合金の箔、シーラント層をこの順に積層したことを特徴とする保護フィルム。
【請求項２】
前記ポリエステルフィルムが延伸フィルムであることを特徴とする請求項１に記載の保護フィルム。
【請求項３】
突刺強度が５．０Ｎ以下であることを特徴とする請求項１又は２に記載の保護フィルム。
【請求項４】
前記アルミニウム箔又はアルミ合金の箔が９μｍ以下の厚さを有することを特徴とする請求項１〜３のいずれかに記載の保護フィルム。
【請求項５】
前記内容物が検査用試薬から成ることを特徴とする請求項１〜４のいずれかに記載の保護フィルム。
【請求項６】
前記シーラント層が無延伸ポリプロピレンフィルムから成ることを特徴とする請求項１〜５のいずれかに記載の保護フィルム。
【発明の詳細な説明】
【技術分野】
【０００１】
本発明は、内容物を収容する凹部を被覆して密封する保護フィルムに関する。本発明の保護フィルムは、例えば、検査用試薬を収容する凹部を多数配列した検査用カードの保護フィルムに適するものである。
【背景技術】
【０００２】
血液等の体液を採取して、この体液に含まれる生体情報、例えば、疾患やＤＮＡ等を検査する際には、この体液と反応する検査用試薬等を収容する凹部を多数配列した検査用カードが用いられている。
【０００３】
このような検査用カードは、例えば、特許文献１に記載されている。この検査用カードは血液中に含まれるＤＮＡを増幅し、この増幅したＤＮＡと検査用試薬とを反応させて、一塩基多型（ＳＮＰ）の有無を検査する際に使用するものである。この検査用カード１００では、図１の分解斜視図に示すように、カード本体１に多数の凹部（ウェル）１１，１２，１３が配列されている。これら多数のウェル１１，１２，１３のうち、９つのウェル１１にはＤＮＡの増幅反応（ＰＣＲ増幅反応）に使用する検査用試薬やＳＮＰの有無を検査する検査用試薬が収容されている。また、中央の２つのウェル１２はＰＣＲ増幅反応を行う反応室で、カード本体１の裏面で繋がっている。次に、ウェル１３はＳＮＰの有無を検査する検査室である。そして、検査用試薬が収容されたウェル１１には保護フィルム２がシールされており、この保護フィルム２によって検査用試薬が密封されている。同様に、検査室１３も保護フィルム３によってシールされている。また、反応室１２はカード本体１の裏面で繋がっているため、その裏面側に反応室形成用フィルム４をシールしている。
【０００４】
この検査用カード１００は次のように使用する。すなわち、まず、血液あるいはその成分等の体液を反応室１２に収容する。次に、保護フィルム２をスポイトあるいはピペットで突き破り、ウェル１１からＰＣＲ増幅反応に使用する検査用試薬を吸い上げて反応室１２に充填して前記体液と混合する。なお、特許文献１に記載の検査用カードでは、ＰＣＲ増幅反応に使用する検査用試薬として、例えば、蛍光標識オリゴヌクレオチドを使用し、ＰＣＲ増幅反応によって増幅されたＤＮＡに蛍光標識を導入している。そして、この反応室１２で前記体液に含まれるＤＮＡを増幅すると共に蛍光標識を付与する。次に、保護フィルム３を剥離して検査室１３を露出させ、反応室１２中でＤＮＡを増幅した体液を検査室１３に充填してＳＮＰの有無を検査する。この検査は、励起光を照射して蛍光発色の有無を検査することによって可能である。また、検査用試薬によって行うこともできるが、この場合には、保護フィルム２をシリンジあるいはピペットで突き破り、ウェル１１から検査用試薬を吸い上げて検査室１３に充填することによって行う。
【０００５】
ところで、ウェル１１に適用する保護フィルム２は、検査用試薬を外部環境から保護するため、その層構成中にアルミニウム箔を有する必要がある。
【０００６】
また、前述のように、スポイトやピペット等で突き破って使用することから、これらスポイトやピペット等で容易に突き破ることができる必要がある。このような理由から、この保護フィルム２は、その層構成中に延伸フィルム等の保形フィルムを含むことなく構成されているのが通常である。
【０００７】
また、このように保形フィルムを含まない保護フィルム２は流通時や使用時に不用意に破れてしまうおそれが高いから、このような不用意な破断を防ぐため、アルミニウム箔と
して比較的厚いものが使用されていた。例えば、厚さ２０〜３０μｍのアルニウム箔である。
【０００８】
このような技術的理由から、この保護フィルム２としては、一般に、厚さ２０〜３０μｍのアルニウム箔にオーバーコートニスを施し、ポリオレフィン系樹脂コート層又は無延伸ポリオレフィン樹脂フィルムをシーラント層として積層した積層フィルムが使用されていた。
【０００９】
しかしながら、このように厚手のアルミニウム箔を使用した保護フィルム２であっても、スポイトやピペット等で突き破った際に、これらスポイトやピペット等で保護フィルム２が破断して、そのフィルム片がウェル１１中に落下することがあった。特にこの検査を商業的に実施する場合には、機械を使用して多数の検査カード１００を高速で処理する必要があり、スポイトやピペット等も高速で保護フィルム２を突き破ることから、フィルム片が発生し易く、このフィルム片がウェル１１中に落下するおそれが高かった。そして、ウェル１１中に落下したフィルム片は、例えば、スポイトやピペット等に吸い上げられ、正常な検査を困難とする。
【先行技術文献】
【特許文献】
【００１０】
【特許文献１】特許第５０４６３８０号公報
【発明の概要】
【発明が解決しようとする課題】
【００１１】
そこで、本発明は、スポイトやピペット等で突き破って検査用試薬等の内容物を取り出す保護フィルムであって、これらスポイトやピペット等で容易に突き破ることができて、しかも、機械を使用して高速で突き破った際にもフィルム片が落下することのない保護フィルムを提供することを目的とする。
【課題を解決するための手段】
【００１２】
すなわち、請求項１に記載の発明は、内容物を収容する凹部を被覆して密封する保護フィルムであって、
易突刺性のポリエステルフィルム、アルミニウム箔アルミニウム箔又はアルミ合金の箔、シーラント層をこの順に積層したことを特徴とする保護フィルムである。
【００１３】
次に、請求項２に記載の発明は、前記ポリエステルフィルムが延伸フィルムであることを特徴とする請求項１に記載の保護フィルムである。
【００１４】
次に、請求項３に記載の発明は、突刺強度が５．０Ｎ以下であることを特徴とする請求項１又は２に記載の保護フィルムである。
【００１５】
次に、請求項４に記載の発明は、前記アルミニウム箔又はアルミ合金の箔が９μｍ以下の厚さを有することを特徴とする請求項１〜３のいずれかに記載の保護フィルムである。
【００１６】
次に、請求項５に記載の発明は、前記内容物が検査用試薬から成ることを特徴とする請求項１〜４のいずれかに記載の保護フィルムである。
【００１７】
次に、請求項６に記載の発明は、前記シーラント層が無延伸ポリプロピレンフィルムから成ることを特徴とする請求項１〜５のいずれかに記載の保護フィルムである。
【発明の効果】
【００１８】
本発明の保護フィルムは、その層構成中に易突刺性のポリエステルフィルムを含んでおり、このため、スポイトやピペット等で突き破ったときにもフィルム片が落下しない。この検査を商業的に実施するに際して、機械を使用して高速で突き破る際でも同様である。しかも、このポリエステルフィルムは易突刺性であるため、これらスポイトやピペット等で容易に突き破って内容物を取り出すことが可能となる。
【図面の簡単な説明】
【００１９】
【図１】図１は検査用カードの分解斜視図である。
【図２】図２は本発明の保護フィルムの具体例を示す断面図である。
【発明を実施するための形態】
【００２０】
次に、図面を参照して本発明を説明する。図面の図２は本発明の保護フィルムの具体例を示す断面図である。
【００２１】
この図に示すように、本発明の保護フィルム２は、ポリエステルフィルム２１、アルミニウム箔２２、シーラント層２３をこの順に積層して構成されたもので、前述のように、内容物として検査用試薬を凹部（ウエル）１１に収容した検査用カード１００の保護フィルム２に適している。
【００２２】
ポリエステルフィルム２１は、スポイトやピペット等で容易に突き破ることができ、しかも、保護フィルム２のフィルム片の落下を防止するものである。このため、このポリエステルフィルム２１はスポイトやピペット等で容易に突き破ることができる易突刺性を有する必要がある。また、機械を使用して高速で突き破った際にもフィルム片が落下しない程度の強度を有する必要がある。なお、この易突刺性ポリエステルフィルム２１をアルミニウム箔２２及びシーラント層２３に積層して構成された保護フィルム２の突刺強度が５．０Ｎ以下となるように、この易突刺性ポリエステルフィルム２１を選択して使用することが望ましい。
【００２３】
このような易突刺性のポリエステルフィルムとしては、例えば、表面に微細な傷加工を施した延伸ポリエステルフィルムを例示することができる。また、非結晶性セグメントを有するポリエステル樹脂層と結晶性ポリエステル樹脂層とを積層した多層ポリエステルフィルムを一軸延伸した後、加熱処理を施して、非結晶性セグメントを有する前記ポリエステル樹脂層の延伸を戻した延伸多層ポリエステルフィルムを使用することもできる。この易突刺性のポリエステルフィルムは、東洋紡（株）から「ティアファイン」(登録商標）の名称で市販されている。厚みは、例えば、１０〜２０μｍでよい。
【００２４】
また、アルミニウム箔２２としては任意のグレードのアルミニウム箔又はアルミ合金の箔が使用でき、例えば、８２０１のグレードの軟質アルミニウム箔、あるいはは、１Ｎ３０のグレードのアルミ合金箔を使用できる。なお、このアルミニウム箔又はアルミ合金の箔２２は易突刺性ポリエステルフィルム２１に接着して支持されているから、従来のアルミニウム箔（厚さ２０〜３０μｍ）より薄いものであっても、流通時や使用時に不用意に破れることがない。その厚さは９μｍで十分である。例えば、７〜９μｍのアルミニウム箔又はアルミ合金の箔である。
【００２５】
次に、シーラント層２３は、前記凹部を被覆しその周囲にヒートシールしてこの凹部を密封するもので、公知の任意のシーラントを使用できる。この保護フィルム２を、前記検査用カード１００の保護フィルム２として使用する場合には、凹部に収容された内容物が検査用試薬であることから、この検査用試薬が接触してもシール強度が低下しない材質であることが望ましい。このようなシーラント層２３としては、無延伸ポリプロピレンフィルムを使用することができる。また、シール抜けを防止するため、その厚みは１０μｍ以
上であることが望ましい。
【００２６】
なお、これらポリエステルフィルム２１、アルミニウム箔２２、シーラント層２３は、各々接着剤を介して積層することができる。
【実施例】
【００２７】
（実施例１）
ポリエステルフィルム２１として、東洋紡（株）製ティアファイン（厚さ１４μｍ）を使用し、アルミニウム箔２２としてグレード８０２１のアルミ合金の箔（厚さ７μｍ）を使用した。また、シーラント層２３としては無延伸ポリプロピレンフィルム（厚さ３０μｍ）を使用した。そして、これらポリエステルフィルム２１、アルミニウム箔２２、シーラント層２３は、各々接着剤を介して積層することにより、実施例１の保護フィルムを製造した。
【００２８】
（実施例２）
アルミニウム箔２２としてグレード１Ｎ３０の軟質アルミニウム箔（厚さ７μｍ）を使用した他は、実施例１と同様に実施例２の保護フィルムを製造した。
【００２９】
（実施例３）
アルミニウム箔２２としてグレード１Ｎ３０の軟質アルミニウム箔（厚さ９μｍ）を使用した他は、実施例１と同様に実施例２の保護フィルムを製造した。
【００３０】
（比較例１）
東洋紡（株）製ティアファインの代わりに、二軸延伸ポリエチレンテレフタレートフィルム（厚さ１２μｍ）を使用した他は、実施例１と同様に比較例１の保護フィルムを製造した。
【００３１】
（比較例２）
二軸延伸ポリエチレンテレフタレートフィルム（厚さ４．５μｍ）の片面にアルミニウム箔（厚さ７μｍ）を積層し、さらにこのアルミニウム箔面上に延伸ポリプロピレンフィルム（厚さ７μｍ）を積層した。そして、この延伸ポリプロピレンフィルム上にヒートシールニスを塗布して比較例２の保護フィルムを製造した。
【００３２】
（評価）
実施例１〜３、比較例１〜２の各保護フィルムについて、サンプル数を５として、各サンプルの突刺強度（Ｎ）を測定した。この結果、及び、その平均と標準偏差を表１に示す。
【００３３】
【表１】
2018079600.tif 000003
【００３４】
この結果から、本発明の保護フィルムの突刺強度は安定的に５．０Ｎ以下であり、二軸延伸ポリエチレンテレフタレートフィルムを使用した保護フィルムに比較して著しく低く、このため、ポリエステルフィルムを使用しているにも拘わらず、スポイトやピペット等で容易に突き破ることができることが確認できた。
【産業上の利用可能性】
【００３５】
本発明の保護フィルムは前記検査用カードの保護フィルムとして適するが、この他、飲料を収容した容器の蓋材として利用することも可能である。この場合には、ストロー等で突き破って飲料を吸飲することができる。
【符号の説明】
【００３６】
１００：検査用カード
１：カード本体    １１：検査用試薬収容凹部    １２：反応室    １３：検査室
２：保護フィルム    ２１：易突刺性ポリエステルフィルム    ２２：アルミニウム箔又はアルミ合金の箔    ２３：シーラント層
３：検査室用保護フィルム
４：反応室形成用フィルム
【図１】
2018079600.tif 000004
【図２】
2018079600.tif 000005